(57)【要約】【課題】自在に取り外しや取り付けができる多機能型ベルト・バックルを提供する。【解決手段】本発明は、ベルト・バックル２上の端面に窪み２１を形成し、前記窪みに異なる高さの第１面２２と第２面２３を形成している、多機能型ベルト・バックルに関する。また、第１面と第２面の交わる箇所の中央部にはマグネット３を備えてあり、円形物４を定位置に吸着させようになっており、前記円形物４が自在に取り付けおよび取り外しできるようになっている。これにより、使用者は随時取り外して使用できるため、ベルト本来の縛るという機能以外に多様な機能性を持たせることができるものである。【選択図】図３
2008289587.tif 000002
【特許請求の範囲】
【請求項１】
端面に窪みがあり、前記窪みには高さの異なる第１面と第２面があり、かつ第１面と第２面の交わる箇所の中央部にはマグネットが備えてあり、円形物がこれにより窪みに吸着されることで固定されることを特徴とする、多機能型ベルト・バックル。
【請求項２】
前記ベルト・バックルの円形物上にはデザインや図案の製作や貼りつけができることを特徴とする、請求項１に記載の多機能型ベルト・バックル。
【請求項３】
多機能型ベルト・バックルの円形物の底の中央にはマグネットが備えられていることを特徴とする、請求項１に記載の多機能型ベルト・バックル。
【請求項４】
第１面に円形状の縁を取り付けられるようになっており、前記円形状の縁は第２面と同じ高さであり、同時に窪みにあるマグネットは円形状の縁端に偏っており、円形物が窪みに吸着固定される際、円形物全体の周囲が支える状態になることを特徴とする、請求項１に記載の多機能型ベルト・バックル。
【請求項５】
端面に窪みがあり、前記窪みの中央部にはマグネットを埋設する柱体が備えてあり、円形物がこれにより窪みに吸着されることで固定されることを特徴とする、多機能型ベルト・バックル。
【請求項６】
前記ベルト・バックルの端面には窪みがあり、この窪みにはベースの定位置があり、前記ベースの端面には窪みがあり、窪み内には高さの異なる第１面と第２面があり、かつ第１面と第２面の交わる箇所の中央部にはマグネットを備えてあり、円形物がこのマグネットにより窪みに吸着され位置が固定されることを特徴とする、多機能型ベルト・バックル。
【請求項７】
前記ベースの底には実用性物品を取り付けることができるようになっていることを特徴とする、請求項６に記載の多機能型ベルト・バックル。
【発明の詳細な説明】
【技術分野】
【０００１】
本発明は、ベルト・バックルの端面に円形物の定位置があり、円形物を自在に取り外しや取り付けができるようになっており、使用者の必要に応じて円形物を取り出して使用できるようになっている、ベルトの使用機能を多様化させた、多機能型ベルト・バックルに関するものである。
【背景技術】
【０００２】
経済成長に伴い、さまざまな新製品が開発され提供されている現在、「礼は尽くしても尽くしすぎることはない」ということわざがあるように、何らかのお祝い事に贈り物をする習慣があるが、さまざまな贈り物の中でもベルトは実用性が高い品物である。図１に示すように、従来のベルトは、帯11の片方の先端がベルト・バックル12に固定されており、これにより帯11はもう片方の先端がベルト・バックル12を貫通することで位置が固定され、固く締められる効果を持つものである。通常は、ベルトのメーカー側が、帯11の材質やベルト・バックル12を固定する方法、形状を変更し、またメーカー側がベルト・バックル12の端面の図案を印刷してデザイン性を高め、あるいは生産者側のマークとするものである。前述のベルト1は、ズボンを締めることができるものの、ベルト1の従来の機能以外には他の用途を提供することができないため、現在の消費者が目新しい物や多様な変化、多機能一体型の物を求める傾向があるのに対し、購買意欲を明らかに欠けさせる現状があり、構造を変化させることで機能性を高める必要性がある。
【発明の開示】
【発明が解決しようとする課題】
【０００３】
本発明の主な目的は、ベルト・バックルの端面に円形物を定位置に取り付け取り外しが自在にできるようにし、使用者の必要に応じて円形物を取り出して使用できるようになっていることで、ベルトの機能を多様化した、ベルト・バックルを提供することにある。
【課題を解決するための手段】
【０００４】
前記ベルト・バックル上は、端面に窪みがあり、高さの異なる第１面と第２面を形成しており、かつ第１面と第２面の交わる箇所の中央部にはマグネットを備えてあり、円形物を定位置に吸着させるようになっており、前記円形物は取り外しや固定が自在にできるようになっており、使用者が必要に応じて随時取り外して使用できるようになっている。
【発明の効果】
【０００５】
前記ベルト・バックル上は、端面に窪みがあり、高さの異なる第１面と第２面を形成しており、かつ第１面と第２面の交わる箇所の中央部にはマグネットを備えてあり、円形物を定位置に吸着させるようになっており、前記円形物は取り外しや固定が自在にできるようになっており、使用者が必要に応じて随時取り外して使用できるようになっている。
【発明を実施するための最良の形態】
【０００６】
以下、添付図面を参照して本発明の好適な実施の形態について、審査関係者に容易に理解しうるよう、詳細に説明する。
【０００７】
まず、図２、３、４に示すように、本発明のベルト・バックル２の上には、端面に窪みは２１があり、前記窪み２１内には異なる高さの第１面２２および第２面２３を形成しており、かつ第１面２２および第２面２３の交わる箇所の中央部にはマグネット３を備えてあり、円形物４はその底の中央にマグネット４１を埋設してあり、円形物４を窪み２１の固定位置に吸着させ、かつ円形物４上には図案４２を印刷することができるようになっている。
【０００８】
上端面の窪み２１内には、異なる高さの第１面２２および第２面２３を形成しており、円形物４が窪み２１の上の固定位置に吸着される際、図４、５に示すように、円形物４の底の片側半分にやや高さのある第２面２３が貼り付く状態になり、もう片側半分のやや低めの第１面２２が宙に浮いた状態になっている。このため、指で円形物４を宙に浮いた側に押すと、宙に浮いた側が下に沈み込み、もう片側の端が上に突き出るため、円形物４を窪み２１から容易に取り出すことができるようになっている。このため、使用者身が円形物４を使用する必要のある次に述べる場合に利用できるようになっている。例えばゴルフをする場合を例に挙げる。同じ組の仲間でグリーン上までショットした後、カップから距離が遠い人から順にパッティングするが、このためカップから近い人は、平らなコインをボールの後ろに置いてマークにしてからボールを取り、パットする人がグリーン上のラフの芝目やグリーンの勾配を観察する妨げや、距離が遠い人のパッティングの妨げにならないようにすることができる。このほかに、現在、多くの人が大型販売店でさまざまな生活用品を購入し、その際にカートを使用するが、利用者がカートを使用した後、カート置き場が混乱しないように、カート同士を前後にチェーンで繋ぐが、使用時はコインを投入してチェーンを緩めるとカートが引き出せ使用できるようになっている。さらに買い物を終えてカートを置き場に戻す時は、チェーンで前のカートに繋げるが、その際、投入したコインを回収し忘れると、カートが使用できなくなることがあり、多くの人が経験済みであろうと思われるこのような状況を未然に防ぐことができるというものである。本発明の円形物４は、平らな円状をしており、このため窪み２１から取り出した後、一般的なコインを代替使用できる。つまり、本発明の円形物４は、端面に描かれた図案４２で美観を高めることや企業側のマークに用いること以外に、コインで代替することも可能であり、使用者が随時、平たい円形物を用いることで使用できるように利便性という目的を達成させている。
【０００９】
このほかに、図６、７に示すように、第１面２２の箇所には、円形状の縁２４を備えており、前記円形状の縁２４は第２面２３と同じ高さになっている。また、マグネット３の中心は円形状の縁２４の端に偏り、これにより円形物４を窪み２１の上に置く時、マグネット３と４１が相互の磁性により吸引しあい、円形物４を自動的に滑らせて移動させるようになっている。円形物４の端は円形状の縁２４のもう片方の端に支えられ、また前記円形状の縁２４は第２面２３に支えられて固定位置に吸着され、円形物４全体の周囲が支えるような状態となる。このようにして円形物４が接触することで、円形物４は窪み２１の箇所から脱落することなく、また円形物４の位置固定を向上させている。円形物４を取り外す際は図８を参照する。力を入れて輪体４を前へ押して、円形状の縁２４から離し、第１面２２がやや低く下へ沈むため、もう片側が上に突出することで、円形物４が容易に取り出せる。また、円形物４を元に戻す場合、第１面２２および第２面２３の交わる箇所にあるマグネット３により、円形物４の底側のマグネット４１が、円形物４が窪み２１に近づく際、マグネット３と４１が相互の引力を利用しあい、円形物４が図７に示すように、自動で定位置に吸着されるようになっている。
【００１０】
また、図９に示すように、窪み２１の中央部にはマグネットを内部埋設する柱体２８が備えてあり、故に図１０に示すように、円形物４が柱体２８内部のマグネットにより窪み２１の上方に吸着されることで固定される。柱体２８の周囲には、中空状態（スベース）があり、使用者が円形物４の周囲（スベース）の任意箇所を指圧することができる。これにより、円形物４を傾斜させることで、円形物４を気楽に取り外して使用することができる。
【００１１】
さらに、図１１、１２に示すように、ベルト・バックル２の端面には窪み２１を形成してあり、前記窪み２５の両側にはそれぞれ溝２６が備えてあり、同時に、窪み２１の底の外周には少なくとも１個以上のマグネット２７を取り付けている。前記窪み２１にはベース５を取り付けられ、前記ベース５はマグネット２７により窪み２５内に吸着されるようになっている。実施する際は、ベース５はカードを嵌める、あるいはその他の方法で窪み２５内に位置を固定できるようになっている。また、ベース５の端面には窪み５１を形成しており、前記窪み５１内には高さの異なる第１面５２および第２面５３を形成し、さらに第１面５２および第２面５３の交わる箇所の中央部にはマグネット６を備えてある。また図１３に示すように、円形物７はその底の中央にマグネット７１を備えてあり、円形物７はマグネット７１とベース５の上の窪み５１の中央にあるマグネット６の引力を利用して、窪み２５に吸着させることができ、同時に円形物７上には図案７２を印刷することができる。
【００１２】
ベース５内には窪み５１を形成しているため、円形物７を定位置に吸着させることができ、かつ窪み５１内には異なる高さの第１面５２および第２面５３を形成しているため、第一面５２の上の円形物７を押す際、円形物７のもう片側の端が上に突出するため、円形物７をベース５内から容易に取り外すことができ使用できるようになっており、同様にベルト・バックルの機能を多様化させている。ベース５をベルト・バックル２から取り外す際、指を窪み２５の両側の溝２６から差し入れ、ベース５の外側の縁を上へ持ち上げるようにして押し出すと、ベース５をベルト・バックル２の窪み２５内から取り出すことができる。
【００１３】
また実施においては、ベース５の底の側面には実用性を有する物品を取り付けることができます。例えば、図１４に示すように、ベース５の底の中央にはデジタル時計５４を取り付けることができ、普段、円形物７を使用しない場合、ベース５の底に取り付けると随時時間を確かめることができる。あるいは図１５に示すように、ベース５の底の中央にリモコン５５を取り付けると、その他のリモコンを携帯する必要がなくなりさらに利便性が高まるが、もちろん他の物品を取り付けることも可能である。
【００１４】
上述したように、本発明の設計は市場化されておらず、また構造を変更することで、本発明のベルトの使用機能を向上させることができ、さらに新規性や進歩性も伴わせることも可能で、産業上の利用可能性という目的にも到達させることができ、発明特許の要件に適合するため、法に則り特許を出願するものである。
【図面の簡単な説明】
【００１５】
【図１】従来のベルトの立体図である。
【図２】本発明の良好な実施例としての立体図である。
【図３】図２の分解図である。
【図４】図２の断面図である。
【図５】図２の使用説明図である。
【図６】本発明の別の実施例としての分解図である。
【図７】図６の断面図である。
【図８】図６の使用説明図である。
【図９】本発明の更なる別の実施例としての分解図である。
【図１０】図９の断面図である。
【図１１】本発明の良好な実施例としての立体図である。
【図１２】図１１の分解図である。
【図１３】図１１の断面図である。
【図１４】本発明の円形物の良好な実施例としての立体図である。
【図１５】本発明の円形物のもう一つの良好な実施例としての立体図である。
【符号の説明】
【００１６】
1  ベルト
１１  帯
１２  ベルト・バックル
２  ベルト・バックル
２１  窪み
２２  第１面
２３  第２面
２４  円形状の縁
２５  窪み
２６  溝
２７  マグネット
２８  柱体
３  マグネット
４  円形物
４１  マグネット
４２  図案
５  ベース
５１  窪み
５２  第１面
５３  第２面
５４  デジタル時計
５５  リモコン
６  マグネット
７  円形物
７１  マグネット
７２  図案
【図１】
2008289587.tif 000003
【図２】
2008289587.tif 000004
【図３】
2008289587.tif 000005
【図４】
2008289587.tif 000006
【図５】
2008289587.tif 000007
【図６】
2008289587.tif 000008
【図７】
2008289587.tif 000009
【図８】
2008289587.tif 000010
【図９】
2008289587.tif 000011
【図１０】
2008289587.tif 000012
【図１１】
2008289587.tif 000013
【図１２】
2008289587.tif 000014
【図１３】
2008289587.tif 000015
【図１４】
2008289587.tif 000016
【図１５】
2008289587.tif 000017